(57)【要約】      （修正有）【課題】いずれかの素子に障害が発生すると、直接にバックアップを使用することができ、迅速なメンテナンスを実現するＬＥＤディスプレイスクリーンを提供する。【解決手段】ＬＥＤディスプレイスクリーンのボックスフレーム１とＬＥＤモジュール２は、ノブ、互いに配合する吸盤とマグネット、位置決め柱５、１４と位置決め孔１５によって固定接続を実現し、位置決め柱と位置決め孔の配合によって保護カバー４とボックスフレームの接続を実現し、位置決め柱と位置決め孔の配合及び迅速なねじ螺合方式によって支持台座９とボックスフレームの接続を実現し、パワードライブバックカバー６はラッチヒンジ８を介してシステムコントロールボックス７に接続され、従ってＬＥＤディスプレイスクリーンの各々の部品を便利に解体組立することができ、且つバックアップ電源とバックアップ受信カードが取り付けられている。【選択図】図１
0003230792.tif 000002
【実用新案登録請求の範囲】
【請求項１】
ボックスフレームとＬＥＤモジュールを備えるＬＥＤディスプレイスクリーンであって、
ノブをさらに備え、
前記ノブは前記ＬＥＤモジュールの背面に固定されており、
前記ノブがねじ締める際に前記ボックスフレームと接触して、前記ボックスフレームと前記ＬＥＤモジュールの固定接続を実現することを特徴とするＬＥＤディスプレイスクリーン。
【請求項２】
前記ノブは、取付板と、ロックシリンダーと、ハンドルと、スプリングワイヤコアと、を備え、
前記ロックシリンダーは前記取付板によって前記ＬＥＤモジュールに固定されており、
前記ハンドルは前記ロックシリンダーにおける前記取付板から離れている一端に固定されており、
前記スプリングワイヤコアは、螺旋状であり、その一端は前記ロックシリンダーにおける前記ハンドルに近い位置に固定され、その他端は前記ロックシリンダーにおける前記取付板に近い一端を囲むことを特徴とする請求項１に記載のＬＥＤディスプレイスクリーン。
【請求項３】
前記ボックスフレームの正面には吸盤が設置されており、
前記ＬＥＤモジュールの背面にはマグネットが設置されており、前記マグネットと前記吸盤は互いに吸着されて接続されることを特徴とする請求項１に記載のＬＥＤディスプレイスクリーン。
【請求項４】
前記ＬＥＤディスプレイスクリーンはシステムコントロールボックスをさらに備え、
前記システムコントロールボックスは前記ボックスフレームに固定されており、前記システムコントロールボックスの内部にはバックアップ受信カードが取り付けられていることを特徴とする請求項１に記載のＬＥＤディスプレイスクリーン。
【請求項５】
前記ＬＥＤディスプレイスクリーンはパワードライブバックカバーをさらに備え、
前記パワードライブバックカバーはラッチヒンジを介して前記システムコントロールボックスに取り付けられ、前記パワードライブバックカバーにはバックアップ電源が取り付けられていることを特徴とする請求項４に記載のＬＥＤディスプレイスクリーン。
【請求項６】
前記ＬＥＤディスプレイスクリーンは支持台座をさらに備え、前記支持台座は台座を備え、
前記ボックスフレームの底部には第二位置決め孔が設けられており、
前記台座には第二位置決め柱が設置されており、前記第二位置決め柱は前記第二位置決め孔と配合することを特徴とする請求項１に記載のＬＥＤディスプレイスクリーン。
【請求項７】
前記ボックスフレームの背面には活動可能な第一接続部材が設置されており、
前記支持台座はさらに支持板を備え、
前記支持板は前記支持台座の中央に回転可能に接続され、
前記支持板には凹部が設けられており、前記凹部の内部には活動可能な第二接続部材が設置されており、前記第二接続部材と前記第一接続部材は着脱自在に接続されることを特徴とする請求項６に記載のＬＥＤディスプレイスクリーン。
【請求項８】
前記ＬＥＤディスプレイスクリーンは保護カバーをさらに備え、
前記ボックスフレームの上部には第三位置決め柱が設置されており、
前記保護カバーには、前記第三位置決め柱に配合する第三位置決め孔が設けられることを特徴とする請求項６に記載のＬＥＤディスプレイスクリーン。
【請求項９】
前記第三位置決め柱の位置と前記第二位置決め孔の位置は対応されることを特徴とする請求項８に記載のＬＥＤディスプレイスクリーン。
【請求項１０】
前記ボックスフレームは型材を接続してなることを特徴とする請求項１に記載のＬＥＤディスプレイスクリーン。
【考案の詳細な説明】
【技術分野】
【０００１】
本考案は、表示技術分野に関するものであり、特に、ＬＥＤディスプレイスクリーンに関するものである。
【背景技術】
【０００２】
ＬＥＤ表示技術の急速な発展に伴って、ＬＥＤディスプレイスクリーンの応用場所はますます多くなり、その高効率且つ優れた宣伝能力によって、ステージ、商業パフォーマンス、展示会などの場所に広く応用されている。ＬＥＤ表示技術が広告分野にて勢い良く流行っていることにしたがって、ＬＥＤスタジアムスポーツディスプレイスクリーンが機運に乗じて生まれる。
【０００３】
現在、市場における戸外のＬＥＤスポーツディスプレイスクリーンにおいて、ＬＥＤモジュールは主にネジで固定するので、解体組立時間が長く、モジュールには左右又は上下の区別があるので、取り替える時にエラーが発生し易く、インストール時間及びメンテナンス時間が増加する。
【０００４】
だから、従来のＬＥＤスポーツディスプレイスクリーンは、解体組立時間及びメンテナンス時間が長い問題がある。
【考案の概要】
【０００５】
本考案が解決しようとする技術的課題は、解体組立とメンテナンスが便利であるＬＥＤディスプレイスクリーンを提供することである。
【０００６】
上述した技術的課題を解決するために、本考案が採用する技術方案は、
ボックスフレームとＬＥＤモジュールを備えるＬＥＤディスプレイスクリーンであって、
ノブをさらに備え、
前記ノブは前記ＬＥＤモジュールの背面に固定されており、
前記ノブがねじ締める際に前記ボックスフレームと接触して、前記ボックスフレームと前記ＬＥＤモジュールの固定接続を実現する。
【０００７】
本考案の有益な効果は、ノブによってＬＥＤディスプレイスクリーンのボックスフレームとＬＥＤモジュールの迅速な接続を実現し、道具を必要としなく、ノブを手動で回転するだけで、ＬＥＤディスプレイスクリーンのボックスフレームとＬＥＤモジュールの接続を実現することができ、従来の技術におけるねじ固定方式に比べて、解体組立時間が短く、メンテナンスも便利である。
【図面の簡単な説明】
【０００８】
【図１】図１は、本考案の実施形態に係わるＬＥＤディスプレイスクリーンの構造を示す図である。
【図２】図２は、本考案の実施形態に係わるＬＥＤモジュールの構造を示す図である。
【図３】図３は、本考案の実施形態に係わるノブの構造を示す図である。
【図４】図４は、本考案の実施形態に係わるノブの側面の構造を示す図である。
【図５】図５は、本考案の実施形態に係わるＬＥＤディスプレイスクリーンの正面を示す図である。
【図６】図６は、本考案の実施形態に係わるノブがオープン状態とロック状態にあることを示す図である。
【図７】図７は、複数の本考案の実施形態に係わるＬＥＤディスプレイスクリーンを接合したことを示す図である。
【考案を実施するための形態】
【０００９】
以下に、本考案の実施形態の添付の図面を参照しながら、本考案の技術的内容、目的及び効果を詳細に説明する。
【００１０】
本考案の最も重要な概念は、ノブによってＬＥＤディスプレイスクリーンのボックスフレームとＬＥＤモジュールの迅速な接続を実現することである。
【００１１】
図１〜図５を参照すると、ボックスフレーム１とＬＥＤモジュール２を備えるＬＥＤディスプレイスクリーンであって、ノブ３をさらに備え、
ノブ３はＬＥＤモジュール２の背面に固定されており、
ノブ３がねじ締める際にボックスフレーム１と接触して、ボックスフレーム１とＬＥＤモジュール２の固定接続を実現する。  
【００１２】
上記の説明から分かるように、本考案はノブによってＬＥＤディスプレイスクリーンのボックスフレームとＬＥＤモジュールの迅速な接続を実現し、ノブを手動で回転するだけで、ＬＥＤディスプレイスクリーンのボックスフレームとＬＥＤモジュールの接続を実現することができ、従来の技術におけるねじ固定方式に比べて、解体組立時間が短く、メンテナンスも便利である。
【００１３】
さらに、ノブ３は、取付板３０１と、ロックシリンダー３０４と、ハンドル３０３と、スプリングワイヤコア３０２と、を備え、
ロックシリンダー３０４は、取付板３０１によってＬＥＤモジュール２に固定されており、
ハンドル３０３は、ロックシリンダー３０４における取付板３０１から離れている一端に固定されており、
スプリングワイヤコア３０２は、螺旋状であり、その一端はロックシリンダー３０４におけるハンドル３０３に近い位置に固定され、他端はロックシリンダー３０４における取付板３０１に近い一端を囲む。
【００１４】
上記の説明から分かるように、螺旋状のスプリングワイヤコアを設置して、ハンドルによってノブを回転しているところ、持続的な圧縮力が生成し、ノブが締め付けられると、縛り具合が大きくなって、ＬＥＤモジュールとボックスフレームの接続を締め付けることができる。
【００１５】
ボックスフレーム１の正面には吸盤２０が設置されており、
ＬＥＤモジュール２の背面にはマグネット１８が設置されており、マグネット１８と吸盤２０は互いに吸着されて接続される。
【００１６】
上記の説明から分かるように、ボックスフレームの正面に吸盤を設置し、ＬＥＤモジュールの背面に吸盤に吸着できる磁石を設置することにより、ＬＥＤモジュールとボックスフレームとの間の接続をさらに強化する。
【００１７】
ＬＥＤディスプレイスクリーンはシステムコントロールボックス７をさらに備え、
システムコントロールボックス７は、ボックスフレーム１に固定されており、システムコントロールボックス７の内部にはバックアップ受信カードが取り付けられている。
【００１８】
上記の説明から分かるように、システムコントロールボックス７の内部にバックアップ受信カードを取り付けることにより、受信カードに障害が発生すると、バックアップ受信カードが迅速に動作し、即ちシステムのバックアップを実現し、受信カードを再び取り付けることを必要としなく、メンテナンスが便利である。
【００１９】
ＬＥＤディスプレイスクリーンはパワードライブバックカバー６をさらに備え、
パワードライブバックカバー６は、ラッチヒンジ８を介してシステムコントロールボックス７に取り付けられ、パワードライブバックカバー６にはバックアップ電源が取り付けられている。
【００２０】
上記の説明から分かるように、バックアップ電源を取り付けることにより、電源装置が故障した場合、バックアップ電源が迅速に動作し、即ち電源のバックアップを実現し、電源装置を再び取り付けることを必要としなく、メンテナンスが便利である。また、パワードライブバックカバーはラッチヒンジ方式でシステムコントロールボックスに接続されるので、パワードライブバックカバーを取り替えることを必要とする時、電源ケーブルを抜き、パワードライブバックカバーをを持ち上げると、パワードライブバックカバーを取り外して、新しいパワードライブバックカバーを取り替えることができ、従って迅速なメンテナンスを実現する。
【００２１】
ＬＥＤディスプレイスクリーンは支持台座をさらに備え、支持台座は台座９を備え、
ボックスフレーム１の底部には第二位置決め孔１５が設けられており、
台座９には第二位置決め柱１４が設置されており、第二位置決め柱１４は第二位置決め孔１５と配合する。
【００２２】
上記の説明から分かるように、位置決め孔と位置決め柱の配合によって、支持台座の解体組立の便利さを高める。
【００２３】
ボックスフレーム１の背面には活動可能な第一接続部材１３が設置されており、
支持台座はさらに支持板１０を備え、
支持板１０は支持台座の中央に回転可能に接続され、
支持板１０には凹部１１が設けられており、凹部１１の内部には活動可能な第二接続部材１２が設置されており、第二接続部材１２と第一接続部材１３は着脱自在に接続される。
【００２４】
上記の説明から分かるように、隠れた支持板を設置して、使用する時、支持板を回転して露出し、第二接続部材を引き出して第一接続部材と接続することにより、ＬＥＤディスプレイスクリーンの支持作用を実現し、使用しない時、第二接続部材を凹部に収納し、且つ支持板を回転して隠し、融通性を有する。
【００２５】
ＬＥＤディスプレイスクリーンは保護カバー４をさらに備え、
ボックスフレーム１の上部には第三位置決め柱５が設置されており、
保護カバー４には、第三位置決め柱５に配合する第三位置決め孔（図示せず）が設けられる。
【００２６】
上記の説明から分かるように、保護カバー４を設置することにより、ワイヤの暴露を避けてその使用寿命を延長することができ、且つ保護カバーとボックスフレームの上部は位置決め柱と位置決め孔の配合方式で接続されるので、保護カバーの解体組立も便利である。
【００２７】
さらに、第三位置決め柱５の位置と第二位置決め孔１５の位置は対応される。
【００２８】
上記の説明から分かるように、第三位置決め柱と第二位置決め孔の配合により、ＬＥＤディスプレイスクリーンを容易に拡大して応用することができ、多い分野に応用するために、保護カバーと支持台座を迅速に取り外して、複数のＬＥＤディスプレイスクリーンの接続を実現することができる。
【００２９】
ボックスフレーム１は型材を接続してなる。
【００３０】
上記の説明から分かるように、型材を接続してボックスフレームを形成すると、ボックスフレームは軽量であり、構造が安定であり、高い強度を有し、変形し難く、長寿命である。
【００３１】
第一実施形態
【００３２】
図１〜図５を参照すると、ＬＥＤディスプレイスクリーンは、ボックスフレーム１とＬＥＤモジュール２を備え、ボックスフレーム１は図１に示された格子状であることができ、格子毎に１つのＬＥＤモジュール２を設置することができる。ＬＥＤディスプレイスクリーンはノブ３をさらに備え、ノブ３はＬＥＤモジュール２の背面に固定されており、ノブ３がねじ締める際にボックスフレーム１と接触して、ボックスフレーム１とＬＥＤモジュール２の固定接続を実現する。
【００３３】
ノブ３は、取付板３０１と、ロックシリンダー３０４と、ハンドル３０３と、スプリングワイヤコア３０２と、を備える。取付板３０１の中間位置には、取付板３０１に垂直し且つ上方に向かって延在される延出部３０５が設置されており、延出部３０５の末端は取付板３０１と対向するように折り曲げられ、延出部３０５はＬ字状を呈する。
【００３４】
ロックシリンダー３０４は取付板３０１によってＬＥＤモジュール２に固定され、取付板３０１の左右両側にそれぞれに小さい貫通孔を設けて、ねじによってロックシリンダー３０４をＬＥＤモジュール２に固定する。
【００３５】
ロックシリンダー３０４は延出部３０５と取付板３０１を順次に貫き、ロックシリンダー３０４における取付板３０１に近い一端には、ロックシリンダー３０４を固定するために用いられる第一円形シート３０６が設置され、ロックシリンダー３０４を貫かせるために、延出部３０５と取付板３０１にはそれぞれ同じ大きさを有する円孔が設けられ、円孔の直径はロックシリンダー３０４の直径よりちょっと大きく、第一円形シート３０６の直径は円孔の直径より大きく、第一円形シート３０６と取付板３０１との間に第二円形シート３０７を設置してワッシャーとすることができ、第二円形シート３０７の直径は第一円形シート３０６の直径より大きい。
【００３６】
ハンドル３０３は、ロックシリンダー３０４における取付板３０１から離れている一端に固定され、実際の需要によって固定方式を選択することができ、例えば、先ずロックシリンダー３０４の直径方向に沿って貫通孔を設け、それから貫通孔にハンドル３０３を貫かせて、即ちロックシリンダー３０４を貫く方式でロックシリンダー３０４に固定することができ、又はハンドル３０３とロックシリンダー３０４を一体成型することもできる。
【００３７】
スプリングワイヤコア３０２は螺旋状であり、スプリングワイヤコア３０２の一端はハンドル３０３と延出部３０５と間のロックシリンダー３０４に固定され、ロックシリンダー３０４の直径方向に沿って貫通孔を設けてスプリングワイヤコア３０２の一端を貫かせることができ、スプリングワイヤコア３０２の他端は取付板３０１に近いロックシリンダー３０４の一端を囲む。
【００３８】
実際の需要によって、ノブ３の個数を設定することができ、図２に示されたように、ＬＥＤモジュール２の上下にそれぞれ１つ設置することができる。ノブ３は２７０度回転することができ、図６（ａ）に示されたように、ノブ３がオープン状態にある場合、ノブ３のスプリングワイヤコア３０２はボックスフレーム１に接触しなく、図６（ｂ）に示されたように、ノブ３を時計方向で２７０度回転すると、ノブ３のスプリングワイヤコア３０２はボックスフレーム１に接触して、ＬＥＤモジュール２とボックスフレーム１の固定接続を実現し、ＬＥＤモジュール２が外部へ落としないようにする。
【００３９】
ボックスフレーム１の正面には吸盤２０が設置されており、ＬＥＤモジュール２の背面にはマグネット１８が設置されており、マグネット１８と吸盤２０は互いに吸着されて接続される。実際の需要によって、吸盤２０の位置と個数を設定することができ、図５に示されたように、１つのＬＥＤモジュール２に対応するフレームの四隅にそれぞれ１つの吸盤２０を設置することができる。
【００４０】
ボックスフレーム１の正面には第一位置決め孔２１が設けられており、ＬＥＤモジュール２の背面には第一位置決め孔２１に対応される第一位置決め柱１９が設置されており、実際の需要によって、第一位置決め孔２１の位置と個数を設定することができ、図５に示されたように、１つのＬＥＤモジュール２に対応するフレームの対角位置にそれぞれ１つの第一位置決め孔２１を設けることができる。
【００４１】
ＬＥＤモジュール２は左右又は上下の区別があるので取り替える時にエラーが発生し易い問題を解決するために、ＬＥＤモジュールは統一な規格であり、上下左右を区別しない。
【００４２】
上記の説明から分かるように、ノブによってＬＥＤモジュールとボックスフレームの固定接続を実現し、且つＬＥＤモジュールとボックスフレームとの間に互いに配合するマグネットと吸盤、位置決め柱と位置決め孔を設置して、取り付ける際、ＬＥＤモジュールを取り付けてからノブをロックすると、ＬＥＤモジュールとボックスフレームの固定接続を実現することができ、取り外す場合、ノブをオープンして、ＬＥＤモジュールを前方に押せばよく、さらにＬＥＤモジュールは統一な規格であるので、取り付ける時に上下左右を区別することを必要としなく、だから、上述した構造によって、ＬＥＤモジュールを迅速に解体組立することができ、メンテナンスも便利である。
【００４３】
第二実施形態
【００４４】
図１を参照すると、ＬＥＤディスプレイスクリーンは、ボックスフレーム１と、ＬＥＤモジュール２と、システムコントロールボックス７と、パワードライブバックカバー６と、支持台座と、保護カバー４と、を備える。
【００４５】
ボックスフレーム１は型材を接続してなり、ボックスフレーム１の底部には第二位置決め孔１５と貫通孔１６が設けられており、ボックスフレーム１の上部には第三位置決め柱５が設置されており、ボックスフレーム１の背面には活動可能な第一接続部材１３が設置されており、実際の需要によって、第二位置決め孔１５、貫通孔１６、第三位置決め柱５の個数及び位置を設定することができる。
【００４６】
ＬＥＤモジュール２の背面にノブ３が設置されており、ノブ３がねじ締める際にボックスフレーム１と接触して、ボックスフレーム１とＬＥＤモジュール２の固定接続を実現する。
【００４７】
システムコントロールボックス７はボックスフレーム１に固定されており、システムコントロールボックス７の内部にはバックアップ受信カード、ライザーカード、保護スイッチ、Ｉ/Ｏソケットが取り付けられている。
【００４８】
パワードライブバックカバー６は、ラッチヒンジ８を介してシステムコントロールボックス７に取り付けられ、パワードライブバックカバー６にはバックアップ電源と液晶表示パネルが取り付けられている。
【００４９】
支持台座は、台座９と支持板１０を備える。
【００５０】
台座９には第二位置決め柱１４が設置されており、第二位置決め柱１４は第二位置決め孔１５と配合する。
【００５１】
支持台座とボックスフレームとの間の接続固定強度を高めるために、台座にはネジ穴（図示せず）が設けられ、ネジ穴に適合するネジ１７が螺合され、第二位置決め柱１４はボックスフレーム１の底部の第二位置決め孔１５と配合し、ネジ１７は貫通孔１６を貫いて支持台座の対応するネジ穴に固定され、ネジ１７はハンドルを有するので、ネジ１７を便利に解体組立することができる。
【００５２】
支持板１０は支持台座の中央に回転可能に接続され、その回転角度は９０度である。
【００５３】
支持板１０には凹部１１が設けられており、凹部１１の内部には活動可能な第二接続部材１２が設置されており、第二接続部材１２と第一接続部材１３は着脱自在に接続され、例えば、螺合する。
【００５４】
保護カバー４には、第三位置決め柱５に配合する第三位置決め孔（図示せず）が設けられており、第三位置決め柱５の位置と第二位置決め孔１５の位置は対応される。
【００５５】
第三位置決め柱５と第二位置決め孔１５の配合により、ＬＥＤディスプレイスクリーンを容易に拡大して応用することができ、図７に示されたように、多い分野に応用するために、保護カバーと支持台座を迅速に取り外して、複数のＬＥＤディスプレイスクリーンの接続を実現することができる。
【００５６】
上記の説明から分かるように、ＬＥＤディスプレイスクリーンは、ノブによってＬＥＤモジュールとボックスフレームの固定接続を実現し、位置決め柱と位置決め孔の配合によって保護カバーとボックスフレームの接続を実現し、位置決め柱と位置決め孔の配合及び迅速なねじ螺合方式によって支持台座とボックスフレームの接続を実現し、パワードライブバックカバーはラッチヒンジを介してシステムコントロールボックスに接続され、従ってＬＥＤディスプレイスクリーンの各々の部品を便利に解体組立することができ、且つバックアップ電源とバックアップ受信カードが取り付けられているので、上記のいずれかの素子に障害が発生すると、直接にバックアップを使用することができ、迅速なメンテナンスを実現する。
【００５７】
第三実施形態
【００５８】
図１〜図７を参照すると、ＬＥＤディスプレイスクリーンは、ボックスフレーム１と、ＬＥＤモジュール２と、システムコントロールボックス７と、パワードライブバックカバー６と、支持台座と、保護カバー４と、を備える。
【００５９】
ボックスフレーム１は型材を接続してなり、ボックスフレーム１の底部には第二位置決め孔１５と貫通孔１６が設けられており、ボックスフレーム１の上部には第三位置決め柱５が設置されており、ボックスフレーム１の背面には活動可能な第一接続部材１３が設置されており、ボックスフレーム１の正面には吸盤２０と第一位置決め孔２１が設置されている。
【００６０】
ＬＥＤモジュール２の背面には、ノブ３と、マグネット１８と、第一位置決め柱１９が設置されており、ノブ３がねじ締める際にボックスフレーム１と接触して、ボックスフレーム１とＬＥＤモジュール２の固定接続を実現し、マグネット１８と吸盤２０が互いに吸着されて接続され、第一位置決め柱１９と第一位置決め孔２１は互いに配合する。
【００６１】
システムコントロールボックス７は、ボックスフレーム１に固定されており、システムコントロールボックス７の内部にはバックアップ受信カード、ライザーカード、保護スイッチ、Ｉ/Ｏソケットが取り付けられている。
【００６２】
パワードライブバックカバー６は、ラッチヒンジ８を介してシステムコントロールボックス７に取り付けられ、パワードライブバックカバー６にはバックアップ電源と液晶表示パネルが取り付けられている。
【００６３】
支持台座は、台座９と支持板１０を備える。
【００６４】
台座９には第二位置決め柱１４が設置されており、第二位置決め柱１４は第二位置決め孔１５と配合する。
【００６５】
支持台座とボックスフレームとの間の接続固定強度を高めるために、台座にはネジ穴（図示せず）が設けられ、ネジ穴に適合するネジ１７が螺合され、第二位置決め柱１４はボックスフレーム１の底部の第二位置決め孔１５と配合し、ネジ１７は貫通孔１６を貫いて支持台座の対応するネジ穴に固定され、ネジ１７はハンドルを有するので、ネジ１７を便利に解体組立することができる。
【００６６】
支持板１０は支持台座の中央に回転可能に接続され、その回転角度は９０度である。
【００６７】
支持板１０には凹部１１が設けられており、凹部１１の内部には活動可能な第二接続部材１２が設置されており、第二接続部材１２と第一接続部材１３は着脱自在に接続され、例えば、螺合する。
【００６８】
保護カバー４には、第三位置決め柱５に配合する第三位置決め孔（図示せず）が設けられており、第三位置決め柱５の位置と第二位置決め孔の位置は対応される。
【００６９】
第三位置決め柱５と第二位置決め孔１５の配合により、ＬＥＤディスプレイスクリーンを容易に拡大して応用することができ、図７に示されたように、多い分野に応用するために、保護カバーと支持台座を迅速に取り外して、複数のＬＥＤディスプレイスクリーンの接続を実現することができる。
【００７０】
上述したように、本考案に係わるＬＥＤディスプレイスクリーンにおいて、ＬＥＤディスプレイスクリーンのボックスフレームとＬＥＤモジュールは、ノブ、互いに配合する吸盤とマグネット、位置決め柱と位置決め孔によって固定接続を実現し、位置決め柱と位置決め孔の配合によって保護カバーとボックスフレームの接続を実現し、位置決め柱と位置決め孔の配合及び迅速なねじ螺合方式によって支持台座とボックスフレームの接続を実現し、パワードライブバックカバーはラッチヒンジを介してシステムコントロールボックスに接続され、従ってＬＥＤディスプレイスクリーンの各々の部品を便利に解体組立することができ、且つバックアップ電源とバックアップ受信カードが取り付けられているので、上記のいずれかの素子に障害が発生すると、直接にバックアップを使用することができ、迅速なメンテナンスを実現する。
【００７１】
上述したものはただ本考案の実施形態であり、本考案の範囲を限定するものではない。本考案の明細書及び図面の内容によって同等の変更が行われたとしても、関連技術分野に直接的又は間接的に適用されたとしても、本考案の範囲に属するものである。
【符号の説明】
【００７２】
１  ボックスフレーム
２  ＬＥＤモジュール
３  ノブ
４  保護カバー
５  第三位置決め柱
６  パワードライブバックカバー
７  システムコントロールボックス
８  ラッチヒンジ
９  台座
１０  支持板
１１  凹部
１２  第二接続部材
１３  第一接続部材
１４  第二位置決め柱
１５  第二位置決め孔
１６  貫通孔
１７  ねじ
１８  マグネット
１９  第一位置決め柱
２０  吸盤
２１  第一位置決め孔
３０１  取付板
３０２  スプリングワイヤコア
３０３  ハンドル
３０４  ロックシリンダー
３０５  延出部
３０６  第一円形シート
３０７  第二円形シート
【図１】
0003230792.tif 000003
【図２】
0003230792.tif 000004
【図３】
0003230792.tif 000005
【図４】
0003230792.tif 000006
【図５】
0003230792.tif 000007
【図６】
0003230792.tif 000008
【図７】
0003230792.tif 000009
【手続補正書】
【提出日】平成30年12月27日(2018.12.27)
【手続補正１】
【補正対象書類名】明細書
【補正対象項目名】００３３
【補正方法】変更
【補正の内容】
【００３３】
ノブ３は、取付板３０１と、ロックシリンダー３０４と、ハンドル３０３と、スプリングワイヤコア３０２と、を備える。取付板３０１の中間位置には延出部３０５が設置されており、延出部３０５の先端は取付板３０１からハンドル３０３に向かって垂直に延在され、延出部３０５の末端は取付板３０１と対向するように折り曲げられ、延出部３０５の先端は末端とともにＬ字状の構造を構成する。
【手続補正２】
【補正対象書類名】明細書
【補正対象項目名】００３５
【補正方法】変更
【補正の内容】
【００３５】
ロックシリンダー３０４は延出部３０５の末端と取付板３０１を順次に貫き、ロックシリンダー３０４における取付板３０１に近い一端には、ロックシリンダー３０４を固定するために用いられる第一円形シート３０６が設置され、ロックシリンダー３０４を貫かせるために、延出部３０５と取付板３０１にはそれぞれ同じ大きさを有する円孔が設けられ、円孔の直径はロックシリンダー３０４の直径よりちょっと大きく、第一円形シート３０６の直径は円孔の直径より大きく、第一円形シート３０６と取付板３０１との間に第二円形シート３０７を設置してワッシャーとすることができ、第二円形シート３０７の直径は第一円形シート３０６の直径より大きい。
【手続補正３】
【補正対象書類名】明細書
【補正対象項目名】００３７
【補正方法】変更
【補正の内容】
【００３７】
スプリングワイヤコア３０２は螺旋状であり、スプリングワイヤコア３０２の一端はハンドル３０３と延出部３０５の末端と間のロックシリンダー３０４に固定され、ロックシリンダー３０４の直径方向に沿って貫通孔を設けてスプリングワイヤコア３０２の一端を貫かせることができ、スプリングワイヤコア３０２の他端は取付板３０１に近いロックシリンダー３０４の一端を囲む。
【手続補正４】
【補正対象書類名】明細書
【補正対象項目名】００３８
【補正方法】変更
【補正の内容】
【００３８】
実際の需要によって、ノブ３の個数を設定することができ、図２に示されたように、ＬＥＤモジュール２の上下にそれぞれ１つ設置することができる。ノブ３は２７０度回転することができ、図６（ａ）に示されたように、ノブ３がオープン状態にある場合、ノブ３のスプリングワイヤコア３０２はボックスフレーム１に接触しなく、図６（ｂ）に示されたように、ノブ３を反時計方向で２７０度回転する時、ノブ３のスプリングワイヤコア３０２は延出部の末端と取付板との間で回転してボックスフレーム１に接触し、ＬＥＤモジュール２とボックスフレーム１の固定接続を実現し、ＬＥＤモジュール２が外部へ落としないようにする。
【手続補正５】
【補正対象書類名】実用新案登録請求の範囲
【補正対象項目名】全文
【補正方法】変更
【補正の内容】
【実用新案登録請求の範囲】
【請求項１】
ボックスフレームとＬＥＤモジュールを備えるＬＥＤディスプレイスクリーンであって、
ノブをさらに備え、
前記ノブは前記ＬＥＤモジュールの背面に固定されており、
前記ノブがねじ締める際に前記ボックスフレームと接触して、前記ボックスフレームと前記ＬＥＤモジュールの固定接続を実現することを特徴とするＬＥＤディスプレイスクリーン。
【請求項２】
前記ノブは、取付板と、ロックシリンダーと、ハンドルと、スプリングワイヤコアと、を備え、
前記ロックシリンダーは前記取付板によって前記ＬＥＤモジュールに固定されており、
前記ハンドルは前記ロックシリンダーにおける前記取付板から離れている一端に固定されており、
前記スプリングワイヤコアは、螺旋状であり、その一端は前記ロックシリンダーにおける前記ハンドルに近い位置に固定され、その他端は前記ロックシリンダーにおける前記取付板に近い一端を囲むことを特徴とする請求項１に記載のＬＥＤディスプレイスクリーン。
【請求項３】
前記ボックスフレームの正面には吸盤が設置されており、
前記ＬＥＤモジュールの背面にはマグネットが設置されており、前記マグネットと前記吸盤は互いに吸着されて接続されることを特徴とする請求項１に記載のＬＥＤディスプレイスクリーン。
【請求項４】
前記ＬＥＤディスプレイスクリーンはシステムコントロールボックスをさらに備え、
前記システムコントロールボックスは前記ボックスフレームに固定されており、前記システムコントロールボックスの内部にはバックアップ受信カードが取り付けられていることを特徴とする請求項１に記載のＬＥＤディスプレイスクリーン。
【請求項５】
前記ＬＥＤディスプレイスクリーンはパワードライブバックカバーをさらに備え、
前記パワードライブバックカバーはラッチヒンジを介して前記システムコントロールボックスに取り付けられ、前記パワードライブバックカバーにはバックアップ電源が取り付けられていることを特徴とする請求項４に記載のＬＥＤディスプレイスクリーン。
【請求項６】
前記ＬＥＤディスプレイスクリーンは支持台座をさらに備え、前記支持台座は台座を備え、
前記ボックスフレームの底部には第二位置決め孔が設けられており、
前記台座には第二位置決め柱が設置されており、前記第二位置決め柱は前記第二位置決め孔と配合することを特徴とする請求項１に記載のＬＥＤディスプレイスクリーン。
【請求項７】
前記ボックスフレームの背面には活動可能な第一接続部材が設置されており、
前記支持台座はさらに支持板を備え、
前記支持板は前記支持台座の中央に回転可能に接続され、
前記支持板には凹部が設けられており、前記凹部の内部には活動可能な第二接続部材が設置されており、前記第二接続部材と前記第一接続部材は着脱自在に接続されることを特徴とする請求項６に記載のＬＥＤディスプレイスクリーン。
【請求項８】
前記ＬＥＤディスプレイスクリーンは保護カバーをさらに備え、
前記ボックスフレームの上部には第三位置決め柱が設置されており、
前記保護カバーには、前記第三位置決め柱に配合する第三位置決め孔が設けられることを特徴とする請求項６に記載のＬＥＤディスプレイスクリーン。
【請求項９】
前記第三位置決め柱の位置と前記第二位置決め孔の位置は対応されることを特徴とする請求項８に記載のＬＥＤディスプレイスクリーン。
【請求項１０】
前記ボックスフレームは型材を接続してなることを特徴とする請求項１に記載のＬＥＤディスプレイスクリーン。
【請求項１１】
前記取付板には延出部が設置されており、前記延出部の先端は前記取付板から前記ハンドルに向かって垂直に延在され、前記延出部の末端は前記取付板と対向するように折り曲げられ、前記ロックシリンダーは前記延出部の末端と前記取付板を順次に貫くことを特徴とする請求項２に記載のＬＥＤディスプレイスクリーン。
【請求項１２】
前記スプリングワイヤコアの一端は前記ハンドルと前記延出部の末端との間に設置され、前記スプリングワイヤコアの他端は前記延出部の末端と前記取付板との間に設置されることを特徴とする請求項１１に記載のＬＥＤディスプレイスクリーン。
【請求項１３】
前記ノブは２７０度回転することができ、前記ノブがオープン状態にある場合、前記スプリングワイヤコアは前記ボックスフレームに接触しなく、前記ノブを回転する時、前記スプリングワイヤコアは前記延出部の末端と前記取付板との間で回転して前記ボックスフレームに接触することを特徴とする請求項１１に記載のＬＥＤディスプレイスクリーン。